(57)【要約】      （修正有）【課題】クリーンルーム浄化に用いる風量調節システムを提供する。【解決手段】出気ダクト１を含み、出気ダクト１の両端が貫通状に構成され、出気ダクト１の外側に駆動手段２が固定接続されており、駆動手段２はロースピードオートロックモータとし、駆動手段２の出力端が出気ダクト１の内部に回動可能に接続されており、駆動手段２の出力端にバッフル３が固定接続され、出気ダクト１における駆動手段２側に係合溝が開設され、係合溝の内側に取付板５が係合接続され、取付板５の外側に取手６が固定接続され、取付板５の外側に第１固定板７が固定接続され、取付板５の内側に２つの挿受けが固定接続され、２つの前記挿受けの内側にそれぞれ第１濾過網と第２濾過網が插接されており、出気ダクト１の底部に第２固定板が固定接続され、第２固定板と第１固定板７の内側に締合ボルト１２が插接され、締合ボルト１２の外面にナット１３が螺接されている。【選択図】図１
0003229719.tif 000002
【実用新案登録請求の範囲】
【請求項１】
出気ダクト１を含み、前記出気ダクト１の両端が貫通状に構成され、前記出気ダクト１の
外側に駆動手段２が固定接続されており、前記駆動手段２はロースピードオートロックモ
ータとし、前記駆動手段２の出力端が出気ダクト１の内部に回動可能に接続されており、
前記駆動手段２の出力端にバッフル３が固定接続され、前記出気ダクト１における駆動手
段２側に係合溝４が開設され、前記係合溝４の内側に取付板５が係合接続され、前記取付
板５の外側に取手６が固定接続され、前記取付板５の外側に第１固定板７が固定接続され
、前記取付板５の内側に２つの挿受け８が固定接続され、２つの前記挿受け８の内側にそ
れぞれ第１濾過網９と第２濾過網１０插接されており、
前記出気ダクト１の底部に第２固定板１１が固定接続され、前記第２固定板１１と第１固
定板７の内側に締合ボルト１２插接され、前記締合ボルト１２の外面にナット１３が螺接
されている、
ことを特徴とするクリーンルーム浄化に用いる風量調節システム。
【請求項２】
前記出気ダクト１の両端が係合溝４に連通設置され、前記駆動手段２はロースピードオー
トロックモータとすることを特徴とする請求項１に記載のクリーンルーム浄化に用いる風
量調節システム。
【請求項３】
前記バッフル３の形状と出気ダクト１の形状とが嵌合し、前記係合溝４の形状と取付板５
の形状とが嵌合することを特徴とする請求項１に記載のクリーンルーム浄化に用いる風量
調節システム。
【請求項４】
前記取付板５は第１固定板７、第２固定板１１、締合ボルト１３およびナット１３によっ
て出気ダクト１に固定接続されており、前記第１固定板７に締合ボルト１２の形状に合わ
せる円孔７０１が開設されていることを特徴とする請求項１に記載のクリーンルーム浄化
に用いる風量調節システム。
【請求項５】
前記第１濾過網９および第２濾過網１０の形状と挿受け８の形状とが嵌合し、前記第１濾
過網９および第２濾過網１０の形状と出気ダクト１の内部の形状とが嵌合することを特徴
とする請求項１に記載のクリーンルーム浄化に用いる風量調節システム。
【請求項６】
前記第２固定板１１の構成と第１固定板７の構成とが相同であり、前記締合ボルト１２は
第１固定板７と第２固定板１１を貫通していることを特徴とする請求項１に記載のクリー
ンルーム浄化に用いる風量調節システム。
【考案の詳細な説明】
【技術分野】
【０００１】
本実用新案は、クリーンルーム浄化の技術分野に関するもので、特に、クリーンルーム浄
化に用いる風量調節システムに関する。
【従来の技術】
【０００２】
クリーンルームは、一定範囲内の空気中の微粒子、有害気体、細菌などの汚染物を排除し
、室内の温度、清潔度、室内圧、気流速度および分布、ノイズ振動、照明、および静電気
の状態を所定の範囲内にコントロールすることが可能となるように、特別にデザインされ
るルームをいう。したがって、クリーンルームは特殊な風量調節システムが必要である。
【０００３】
従来のクリーンルーム風量調節システムの欠点は以下の点がある。
・風量調節システムの出口位置で濾過網を設置しなければならなく、このため、従来の風
量調節システムの濾過網の清潔と交換が不便である。
・従来の風量調節システムの調節構成が複雑で、簡単かつ高効率に作動できない。
【考案の概要】
【０００４】
上記の問題を解決するために、本実用新案は、以下のクリーンルーム浄化に用いる風量
調節システムを提供する。
出気ダクト１を含み、前記出気ダクト１の両端が貫通状に構成され、前記出気ダクト１
の外側に駆動手段２が固定接続されており、前記駆動手段２はロースピードオートロック
モータとし、前記駆動手段２の出力端が出気ダクト１の内部に回動可能に接続されており
、前記駆動手段２の出力端にバッフル３が固定接続され、前記出気ダクト１における駆動
手段２側に係合溝４が開設され、前記係合溝４の内側に取付板５が係合接続され、前記取
付板５の外側に取手６が固定接続され、前記取付板５の外側に第１固定板７が固定接続さ
れ、前記取付板５の内側に２つの挿受け８が固定接続され、２つの前記挿受け８の内側に
それぞれ第１濾過網９と第２濾過網１０插接されており、前記出気ダクト１の底部に第２
固定板１１が固定接続され、前記第２固定板１１と第１固定板７の内側に締合ボルト１２
插接され、前記締合ボルト１２の外面にナット１３が螺接されている、クリーンルーム浄
化に用いる風量調節システムである。
好ましくは、前記出気ダクト１の両端が係合溝４に連通設置され、前記駆動手段２はロ
ースピードオートロックモータとする。
好ましくは、前記バッフル３の形状と出気ダクト１の形状とが合わせ、前記係合溝４の
形状と取付板５の形状とが合わせる。
好ましくは、前記取付板５は第１固定板７、第２固定板１１、締合ボルト１３およびナ
ット１３によって出気ダクト１に固定接続されており、前記第１固定板７に締合ボルト１
２の形状に合わせる円孔７０１が開設されている。
好ましくは、前記第１濾過網９および第２濾過網１０の形状と挿受け８の形状とが合わ
せ、前記第１濾過網９および第２濾過網１０の形状と出気ダクト１の内部の形状とが合わ
せる。
好ましくは、前記第２固定板１１の構成と第１固定板７の構成とが相同であり、前記締
合ボルト１２は第１固定板７と第２固定板１１を貫通している。
【０００５】
本実用新案のクリーンルーム浄化に用いる風量調節システムは以下の利点を有する。
（１）出気ダクトにおける駆動手段と同一側に係合溝が開設され、係合溝の内側に取付板
が係接されるので、第１濾過網と第２濾過網を交換する場合、締合ボルトとナットを取り
外せば良い。取付板外側の取手によって、取付板、挿受け、第１濾過網と第２濾過網を一
体的に抜き出すことができる。第１濾過網と第２濾過網が挿受けに插接されることにより
、容易に抜き出すことができるので、第１濾過網と第２濾過網を適時かつ快速に整理およ
び交換することができる。出気ダクト、係合溝、取付板、取手、挿受け、第１濾過網と第
２濾過網の関連設置によって、濾過網の交換や清潔操作がより便利であり、従来の風量調
節システムで濾過ネットの清潔と交換不便の課題を解決する。
【０００６】
（２）出気ダクトの外側に駆動手段が固定接続され、駆動手段はロースピードオートロッ
クモータとし、駆動手段の出力端が出気ダクトの内部に回動可能に接続され、駆動手段の
出力端にバッフルが固定接続され、バッフルが出気ダクトの出気口位置に設置される。駆
動手段の出力端によってバッフルを回転駆動する。これによって出気ダクトの出気口の出
気量を調節する目的を達成する。また、駆動手段がロースピードオートロックモータとす
るので、バッフルをロースピードで所定角度にて回動駆動させることができるとともに、
バッフルの角度をニーズに応じて固定することもできる。その構成は簡単で、作動は高効
率的である。出気ダクト、駆動手段とバッフルの関連設置によって、風量調節システムの
調節構成を簡単にさせることができ、従来の風量調節システムでは調節構成が複雑で簡単
かつ高効率で作動できない欠陥を克服できる。
【図面の簡単な説明】
【０００７】
【図１】本実用新案の構成模式図。
【図２】本実用新案の断面構成模式図。
【図３】本実用新案の出気ダクトの構成模式図。
【図４】本実用新案の取付板の構成模式図。
【考案を実施するための形態】
【０００８】
以下、図面とともに、本実施形態を説明する。
図１〜図４に示されるよに、本クリーンルーム浄化に用いる風量調節システムは、出気ダ
クト１を含み、前記出気ダクト１の両端が貫通状に構成され、前記出気ダクト１の外側に
駆動手段２が固定接続されており、前記駆動手段２はロースピードオートロックモータと
し、前記駆動手段２の出力端が出気ダクト１の内部に回動可能に接続されている。
【０００９】
前記駆動手段２の出力端にバッフル３が固定接続され、前記出気ダクト１における駆動手
段２側に係合溝４が開設され、前記係合溝４の内側に取付板５が係合接続され、前記取付
板５の外側に取手６が固定接続され、前記取付板５の外側に第１固定板７が固定接続され
、前記取付板５の内側に２つの挿受け８が固定接続され、２つの前記挿受け８の内側にそ
れぞれ第１濾過網９と第２濾過網１０插接されている。
【００１０】
前記出気ダクト１の底部に第２固定板１１が固定接続され、前記第２固定板１１と第１固
定板７の内側に締合ボルト１２插接され、前記締合ボルト１２の外面にナット１３が螺接
されている。
【００１１】
一実施形態として、前記出気ダクト１の両端が係合溝４に連通設置され、前記駆動手段２
はロースピードオートロックモータとする。前記バッフル３の形状と出気ダクト１の形状
とが合わせ、前記係合溝４の形状と取付板５の形状とが合わせる。前記取付板５は第１固
定板７、第２固定板１１、締合ボルト１３およびナット１３によって出気ダクト１に固定
接続されており、前記第１固定板７に締合ボルト１２の形状に合わせる円孔７０１が開設
されている。前記第１濾過網９および第２濾過網１０の形状と挿受け８の形状とが合わせ
、前記第１濾過網９および第２濾過網１０の形状と出気ダクト１の内部の形状とが合わせ
る。第１濾過網９と第２濾過網１０が挿受け８に插接されることにより、容易に抜き出す
ことができる。このように構成すると、第１濾過網９と第２濾過網１０を適時かつ快速に
整理および交換することができる。
【００１２】
一実施形態として、前記第２固定板１１の構成と第１固定板７の構成とが相同であり、前
記締合ボルト１２は第１固定板７と第２固定板１１を貫通している。
【００１３】
本実用新案の動作原理について説明する。空気が出気ダクト１の一から流れ込んで、出気
ダクト１の出口から流出する。駆動手段２の出力端によってバッフル３を回転駆動する。
これによって出気ダクト１の出気口の出気量を調節する目的を達成する。第１濾過網９と
第２濾過網１０を交換する場合、締合ボルト１２とナット１３を取り外せばよい。取付板
５の外側にある取手６によって、取付板５、挿受け８、第１濾過網９、第２濾過網１０を
一体的に抜き出すことができる。第１濾過網９と第２濾過網１０が挿受け８に插接される
ことにより、容易に抜き出すことができる。このように構成すると、第１濾過網９と第２
濾過網１０を適時かつ快速に整理および交換することができる。
【００１４】
以上によれば、本クリーンルーム浄化に用いる風量調節システムは、その使用に際しては
、出気ダクト１における駆動手段２側に係合溝４が開設され、係合溝４の内側に取付板５
が係接されるので、第１濾過網９と第２濾過網１０を交換する場合、締合ボルト１２とナ
ット１３を取り外せば良い。取付板５外側の取手６によって、取付板５、挿受け８、第１
濾過網９と第２濾過網１０を一体的に抜き出すことができる。第１濾過網９と第２濾過網
１０が挿受け８に插接されることにより、容易に抜き出すことができるので、第１濾過網
９と第２濾過網１０を適時かつ快速に整理および交換することができる。出気ダクト１の
外側に駆動手段２が固定接続され、駆動手段２はロースピードオートロックモータとし、
駆動手段２の出力端が出気ダクト１の内部に回動可能に接続され、駆動手段２の出力端に
バッフル３が固定接続され、バッフル３が出気ダクト１の出気口位置に設置される。駆動
手段２の出力端によってバッフル３を回転駆動する。これによって出気ダクト１の出気口
の出気量を調節する目的を達成する。また、駆動手段２がロースピードオートロックモー
タとするので、バッフル３をロースピードで所定角度にて回動駆動させることができると
ともに、バッフル３の角度をニーズに応じて固定することもできる。その構成は簡単で、
作動は高効率的である。
【００１５】
述べたものは、本考案の実施形態だけであり、前記の具体のな実施形態は、普通技術者は
本考案の原理と精神の範疇内において、各種の変形及び修正、置換、変形を行うことがで
きる。本実用新案の保護範囲は、実用新案登録請求の範囲及びその均等物である。
【符号の説明】
【００１６】
１    出気ダクト
２    駆動手段
３    バッフル
４    係合溝
５    取付板
６    取手
７    第１固定板
８    挿受け
９    第１濾過網
１０    第２濾過網
１１    第２固定板
１２    締合ボルト
１３    ナット
【図１】
0003229719.tif 000003
【図２】
0003229719.tif 000004
【図３】
0003229719.tif 000005
【図４】
0003229719.tif 000006